(57)【要約】【課題】逆止弁ユニットを逆止弁ユニット取り付け孔に差し込んで取り付ける際に、逆止弁ユニットの胴部に装着されているシール用のＯリングを損傷することなく、容易に取り付けることができる内視鏡の副送水装置を提供すること。【解決手段】逆止弁ユニット取り付け孔７と嵌合する逆止弁ユニット１０のＯリング取り付け溝１６より先端寄りの部分の胴部１１ａの軸線方向長さ（Ａ）を、逆止弁ユニット取り付け孔７の口元部に形成された雌ネジ部８の軸線方向長さ（Ｂ）より大きく形成した。【選択図】      図１
2006262918.tif 000002
【特許請求の範囲】
【請求項１】
内視鏡の挿入部先端に開口する副送水管の基端に逆止弁ユニット取り付け孔が形成されて、上記挿入部先端側からの流体の逆流を阻止するための逆止弁体を有する逆止弁ユニットの胴部が上記逆止弁ユニット取り付け孔に外方から挿脱自在に嵌挿され、上記逆止弁ユニットの胴部に形成されたＯリング取り付け溝には上記逆止弁ユニット取り付け孔の内周面との間で押しつぶされてシールを行うためのＯリングが装着され、上記逆止弁ユニット取り付け孔の口元部に形成された雌ネジ部と上記逆止弁ユニットの胴部に形成された雄ネジ部とが螺合するように構成された内視鏡の副送水装置において、
上記逆止弁ユニット取り付け孔と嵌合する上記逆止弁ユニットの上記Ｏリング取り付け溝より先端寄りの部分の上記胴部の軸線方向長さ（Ａ）を、上記逆止弁ユニット取り付け孔の口元部に形成された上記雌ネジ部の軸線方向長さ（Ｂ）より大きく形成したことを特徴とする内視鏡の副送水装置。
【発明の詳細な説明】
【技術分野】
【０００１】
この発明は内視鏡の副送水装置に関する。
【背景技術】
【０００２】
内視鏡には、体腔内壁に付着した汚物等を洗浄するために水を勢いよく噴出させる（いわゆるジェット噴射させる）ための副送水管が設けられたものがある。そのようなものでは、副送水管の基端に逆止弁ユニット取り付け孔が形成されて、挿入部先端側からの流体の逆流を阻止するための逆止弁体を有する逆止弁ユニットが、逆止弁ユニット取り付け孔に外方から挿脱自在に取り付けられている（例えば、特許文献１）。
【特許文献１】特開平８−２３８２１４
【発明の開示】
【発明が解決しようとする課題】
【０００３】
図５は、従来の逆止弁ユニット９０が逆止弁ユニット取り付け孔８０に取り付けられる際の状態を示しており、内視鏡の挿入部先端に開口する副送水管の基端に逆止弁ユニット取り付け孔８０が形成されて、逆止弁ユニット９０を螺合固定するための雌ネジ部８１が逆止弁ユニット取り付け孔８０の口元部に形成されている。
【０００４】
逆止弁ユニット９０には、胴部９１の先寄りの部分に逆止弁体９２が取り付けられ、胴部９１の手元側の摘み９３寄りの部分には、逆止弁ユニット取り付け孔８０の内周面との間で押し潰されてシールを行うためのＯリング９４が取り付けられている。
【０００５】
しかし、そのような従来の内視鏡の副送水装置においては、逆止弁ユニット９０を逆止弁ユニット取り付け孔８０に差し込む際に、逆止弁ユニット９０が傾かないよう細心の注意を払っていないと、図５に示されるようにＯリング９４が雌ネジ部８１の口元エッジ部に引っ掛かって損傷し、その結果、Ｏリング９４のシール機能が低下してその部分から体内汚液等が逆流して漏れ出してしまう場合がある。
【０００６】
そこで本発明は、逆止弁ユニットを逆止弁ユニット取り付け孔に差し込んで取り付ける際に、逆止弁ユニットの胴部に装着されているシール用のＯリングを損傷することなく、容易に取り付けることができる内視鏡の副送水装置を提供することを目的とする。
【課題を解決するための手段】
【０００７】
上記の目的を達成するため、本発明の内視鏡の副送水装置は、内視鏡の挿入部先端に開口する副送水管の基端に逆止弁ユニット取り付け孔が形成されて、挿入部先端側からの流体の逆流を阻止するための逆止弁体を有する逆止弁ユニットの胴部が逆止弁ユニット取り付け孔に外方から挿脱自在に嵌挿され、逆止弁ユニットの胴部に形成されたＯリング取り付け溝には逆止弁ユニット取り付け孔の内周面との間で押しつぶされてシールを行うためのＯリングが装着され、逆止弁ユニット取り付け孔の口元部に形成された雌ネジ部と逆止弁ユニットの胴部に形成された雄ネジ部とが螺合するように構成された内視鏡の副送水装置において、逆止弁ユニット取り付け孔と嵌合する逆止弁ユニットのＯリング取り付け溝より先端寄りの部分の胴部の軸線方向長さ（Ａ）を、逆止弁ユニット取り付け孔の口元部に形成された雌ネジ部の軸線方向長さ（Ｂ）より大きく形成したものである。
【発明の効果】
【０００８】
本発明によれば、逆止弁ユニットのＯリング取り付け溝より先端寄りの部分の胴部の軸線方向長さを、逆止弁ユニット取り付け孔の口元部に形成された雌ネジ部の軸線方向長さより大きく形成したことにより、逆止弁ユニットを逆止弁ユニット取り付け孔に差し込んで取り付ける際に、Ｏリングが雌ネジ部の口元に達する前に胴部が逆止弁ユニット取り付け孔と嵌合し、それによって逆止弁ユニットが逆止弁ユニット取り付け孔の軸線方向にほぼ真っ直ぐな状態になってＯリングが雌ネジ部に触れない状態になるので、逆止弁ユニットの胴部に装着されているシール用のＯリングを損傷することなく、逆止弁ユニットを逆止弁ユニット取り付け孔に容易に取り付けることができる。
【発明を実施するための最良の形態】
【０００９】
内視鏡の挿入部先端に開口する副送水管の基端に逆止弁ユニット取り付け孔が形成されて、挿入部先端側からの流体の逆流を阻止するための逆止弁体を有する逆止弁ユニットの胴部が逆止弁ユニット取り付け孔に外方から挿脱自在に嵌挿され、逆止弁ユニットの胴部に形成されたＯリング取り付け溝には逆止弁ユニット取り付け孔の内周面との間で押しつぶされてシールを行うためのＯリングが装着され、逆止弁ユニット取り付け孔の口元部に形成された雌ネジ部と逆止弁ユニットの胴部に形成された雄ネジ部とが螺合するように構成された内視鏡の副送水装置において、逆止弁ユニット取り付け孔と嵌合する逆止弁ユニットのＯリング取り付け溝より先端寄りの部分の胴部の軸線方向長さＡを、逆止弁ユニット取り付け孔の口元部に形成された雌ネジ部の軸線方向長さＢより大きく形成する。
【実施例】
【００１０】
図面を参照して本発明の実施例を説明する。
図２は内視鏡の全体構成を示しており、可撓管状の挿入部１の基端に操作部２が連結され、図示されていない光源装置に接続されるコネクタ部３が先端に取り付けられた接続可撓管４が操作部２から後方に延出している。
【００１１】
そして、挿入部１の先端に開口する副送水管５の基端に設けられた逆止弁ユニット取り付け部６がコネクタ部３の側面部に配置されていて、挿入部１の先端側からの副送水管５を経由して流体が逆流するのを阻止するための逆止弁ユニット１０が、逆止弁ユニット取り付け部６に対して着脱自在に取り付けられるようになっている。なお、逆止弁ユニット取り付け部６が操作部２に配置されていてもよい。
【００１２】
図３は、逆止弁ユニット取り付け部６と逆止弁ユニット１０を示しており、逆止弁ユニット１０の本体部材１１は、軸線位置に貫通孔が形成された段付きの筒状体であり、その中間部分には一定の外径の円筒状の胴部１１ａが形成されている。
【００１３】
逆止弁ユニット１０の本体部材１１の先端寄りの部分には、軸線と垂直方向に側壁を貫通する状態に流体通過孔１２が穿設されていて、その部分を包み込む状態に、弾力性のあるゴム材からなる逆止弁体１３が取り付けられている。
【００１４】
逆止弁ユニット取り付け部６内には、そのような逆止弁ユニット１０の逆止弁体１３と胴部１１ａとが収納される逆止弁ユニット取り付け孔７が副送水管５の基端に直接連通して形成されていて、その逆止弁ユニット取り付け孔７の口元部に雌ネジ部８が形成されている。
【００１５】
逆止弁ユニット１０の本体部材１１の手元側端部には摘み１５が取り付けられていて、逆止弁ユニット取り付け部６側の雌ネジ部８と螺合する雄ネジ部１４が、摘み１５の内側に位置するように本体部材１１の外周部に形成され、その雄ネジ部１４と胴部１１ａとの間の位置において本体部材１１の外周部に形成されたＯリング取り付け溝１６に、シール用のＯリング１７が嵌め込まれた状態に装着されている。
【００１６】
Ｏリング１７は弾力性のあるゴム材等により形成されていて、Ｏリング取り付け溝１６に取り付けられた状態において、外径が逆止弁ユニット取り付け孔７の径より大きくて雌ネジ部８の内径より小さい寸法に形成されている。
【００１７】
そして、逆止弁ユニット１０が逆止弁ユニット取り付け部６に取り付けられて雄ネジ部１４が雌ネジ部８と螺合する状態になると、胴部１１ａが逆止弁ユニット取り付け孔７に嵌合し、Ｏリング１７が逆止弁ユニット取り付け孔７の内周面で押し潰されることによりその部分が気密にシールされる。
【００１８】
そして、本体部材１１に対して外方から注水器具のコネクタ２０を着脱自在に差し込み接続して副送水管５内に注水することができ、コネクタ２０が取り付けられない時は、逆止弁ユニット１０に代えて密閉蓋９を取り付けることにより逆止弁ユニット１０を確実に密封しておくことができる。
【００１９】
そのように構成された逆止弁ユニット１０において、図４に示されるように、胴部１１ａの軸線方向長さ（厳密には、Ｏリング取り付け溝１６より先端寄りの部分の胴部１１ａの軸線方向長さ）Ａが、逆止弁ユニット取り付け部６の雌ネジ部８の軸線方向長さＢより大きく形成されている。即ち、Ａ＞Ｂである。
【００２０】
その結果、図１に示されるように、逆止弁ユニット１０を逆止弁ユニット取り付け部６の雌ネジ部８に差し込む際には、Ｏリング１７が雌ネジ部８の口元に達する前に胴部１１ａが逆止弁ユニット取り付け孔７と嵌合し、逆止弁ユニット１０が逆止弁ユニット取り付け孔７の軸線方向にほぼ真っ直ぐな状態になってＯリング１７が雌ネジ部８に触れない状態になるので、逆止弁ユニット１０の傾き等に細かい注意を払っていなくても、Ｏリング１７が雌ネジ部８に引っ掛かって損傷するようなことが発生せず、逆止弁ユニット１０を逆止弁ユニット取り付け部６に容易に取り付けることができる。
【図面の簡単な説明】
【００２１】
【図１】本発明の実施例の逆止弁ユニットが逆止弁ユニット取り付け部に取り付けられる途中の状態の側面断面図である。
【図２】本発明の実施例の内視鏡の全体構成を示す側面図である。
【図３】本発明の実施例の内視鏡の副送水装置の側面断面図である。
【図４】本発明の実施例の逆止弁ユニットが逆止弁ユニット取り付け部から取り外された状態の側面一部断面図である。
【図５】従来の逆止弁ユニットが逆止弁ユニット取り付け孔に取り付けられる途中の状態の側面一部断面図である。
【符号の説明】
【００２２】
１  挿入部
５  副送水管
６  逆止弁ユニット取り付け部
７  逆止弁ユニット取り付け孔
８  雌ネジ部
１０  逆止弁ユニット
１１ａ  胴部
１３  逆止弁体
１４  雄ネジ部
１６  Ｏリング取り付け溝
１７  Ｏリング
Ａ  逆止弁ユニットのＯリング取り付け溝より先端寄りの部分の胴部の軸線方向長さ
Ｂ  逆止弁ユニット取り付け孔の口元部に形成された雌ネジ部の軸線方向長さ
【図１】
2006262918.tif 000003
【図２】
2006262918.tif 000004
【図３】
2006262918.tif 000005
【図４】
2006262918.tif 000006
【図５】
2006262918.tif 000007